Podtech/llm-jp-corpus-v4-ja_patent huggingface dataset:
(57)【要約】      （修正有）【課題】犬・猫等の小動物を術台に安全に固定し手術の手技を行い易くする為軟質ウレタン・ギャラックスＤＧＮからなる２つの三角柱の一部をカットして台形型にした形状の物を自由自在なポジショニングに調整出来る様にした小動物手術用固定補助具を提供する。【解決手段】犬・猫等小動物の多様な体型、様々な手術姿勢に柔軟に対応出来る様、軟質ウレタン・ギャラックスＤＧＮからなる三角柱の一部をカットして台形型１にした２つの柱状のものを調整・組み合わせ、サイズバリエーション等で小動物を術台に安全且つ理想的に固定し、理想の術野を設けて手術の手技を行いやすく構成する。【選択図】図２
0003154825.tif 000002
【実用新案登録請求の範囲】
【請求項１】
犬・猫等小動物の多様な体型・手術姿勢を維持・固定するため、どの様な形状にも対応出来る様に２つの台形型の柱状のクッションを組んで設計された柔軟な手術用固定補助具
【考案の詳細な説明】
【技術分野】
【０００１】  本考案は、犬・猫等の小動物を術台に安全に固定し手術の手技を行い易くする為軟質ウレタン・ギャラックスＤＧＮからなる２つの三角柱の一部をカットして台形型にした形状の物を自由自在なポジショニングに調整出来る様にしたクッションに関するものである。
【背景技術】
【０００２】  従来は手術台の上で犬・猫等を固定するのに特定化された形状のものしかなく、犬・猫の多様な体型や手術姿勢には対応が不十分で、応急的に他の詰めものなどを併用して対処していた。
【考案の概要】
【考案が解決しようとする課題】
【０００３】  従来利用のものは犬・猫等の多様な体型や手術姿勢に応じて柔軟に対応出来ず、安全に犬・猫等の身体を固定し、手術の手技を行い易くする適応力に欠けていた。従って、手術姿勢の固定具合が手術の成否の重要なポイントの一つと言われる中にあって、本考案は同一の基本形体で、サイズバリエーション等によって柔軟に対応し、前述の問題点を解決しようとするものである。
【課題を解決するための手段】
【０００４】  本考案は、犬・猫等小動物の多様な体型、又様々な手術姿勢に柔軟に対応出来るる様、軟質ウレタン・ギャラックスＤＧＮからなる２つの台形型で柱状のものを組み合わせ、サイズバリエーション等で小動物を術台に安全に固定し、従来からの問題点を解決している。
【考案の効果】
【０００５】  上述の様に、本考案の、台形型で柱状の形体２つのものを自在に調整・組み合わせて利用することにより、犬・猫等小動物などの多様な体型や様々な手術姿勢に十分対応して犬・猫等を安全且つ理想的に固定し従来困難であった理想の術野を設けることが可能となった。この結果、手術の手技を格段に行いやすくし、手術そのものの成功を導くものと考えられる。
【考案を実施するための形態】
【０００６】軟質ウレタン・ギャラックスＤＧＮからなる三角柱の一部をカットして台形型にした、２つの柱状のものを犬・猫等の体型や実現したい手術姿勢に基づき自在に位置を調整し、組み合わせて術台に安全且つ理想的に固定し、手術の手技を最大限行いやすくする術野を設ける。
【図面の簡単な説明】
【０００７】
【図１】本考案の小動物手術用固定補助具の一実施例を示す正面図である。
【図２】本固定補助具の使用時の形状を示す斜視図である。
【図３】本固定補助具の一部の形状を示す底面図である。
【符号の説明】
【０００８】１  補助具本体（台形型柱状部・中材＝軟質ウレタン）
２  補助具本体（接続部・生地のみ＝ギャラックスＤＧＮ）
３  補助具本体（面ファスナー）
【図１】
0003154825.tif 000003
【図２】
0003154825.tif 000004
【図３】
0003154825.tif 000005
(57)【要約】      （修正有）【課題】ＬＥＤ照明器具の内部から発生する熱を有効に排熱できるようにした放熱フィンを提供する。【解決手段】セラミック材料は、熱の伝導特性は金属材料に比べて低いものの熱の放射能は金属の１０倍から２０倍程度高く、効果的に熱を放射する能力を持っている。このセラミックの特徴とアルミニウムの特性とを組み合わせることによってより有効な熱放射を行うことができる。具体的には、アルミニウムフィン３の表面にセラミック薄膜４を形成することにより、アルミニウム中を素早く伝達してきた熱をセラミックが放熱するという構成ができる。このことにより、内部発熱を効果的に放散できるので、使用している電子部品の使用寿命を向上させることができる。【選択図】図１
0003154837.tif 000002
【実用新案登録請求の範囲】
【請求項１】
ＬＥＤ照明器具の放熱を効果的に実施するために、放熱板表面にセラミック塗装や薄膜形成技術などの方法によってセラミック膜を形成することによって、その放熱性能を向上させて照明器具自体、および使用されている電子部品の温度を従来よりも低温にすることによって、ＬＥＤの寿命を向上させるとともに使用されている電子部品の寿命を向上させることによって、ＬＥＤ照明器具自体の寿命を向上させることを特徴とするセラミックＬＥＤ照明器具用放熱フィン。
【考案の詳細な説明】
【技術分野】
【０００１】  ＬＥＤ照明器具の内部から発生する熱を有効に排熱できるように放熱フィンの放熱特性を向上させる技術である。
【背景技術】
【０００２】  セラミック材料は、その電気絶縁性から半導体を搭載する基板に使用されたり、熱に強いという特性から伝熱回路などに利用される場合が多い。【０００３】  セラミック材料の熱特性としては、熱伝導率は金属材料などに比較して一般的に低いという事実があるが、その空間放射、すなわち放射率は金属の１０倍以上であるという点もよく知られた事実である。【０００４】  通常、金属の熱放射率は、０．０５−０．１程度であるのに比べて多くのセラミック材料の熱放射率は、０．９を越えるものがほとんどであり、０．９３という数値を持つ材料も存在する。【０００５】  機器の駆動を円滑に実施するためには、内部発熱を有効に外部に放出する必要がある場合があり、ファンを設置する、あるいは放熱のフィンを使用するということは一般的に行われていることである。【０００６】  ＬＥＤ照明器具においても同様の熱の問題があり、ＬＥＤそのものが駆動中に発生する熱、および１００Ｖあるいは２００Ｖ交流電源からＬＥＤ駆動用の１２Ｖ直流電源に変換するコンバーター回路から発生する熱があり、それらの発生した熱を有効に外部に放出するために放熱板、あるいは放熱フィンがＬＥＤ照明器具の背面に設置されているのがその通常の構造となっている。
【課題を解決する手段】
【０００７】  上に述べたように、ＬＥＤ照明器具ではその駆動状態の安定性確保、寿命の向上という観点から放熱板あるいは放熱フィンが設置されているが、現在ほとんどの場合、アルミニウムが使用されているので、これをさらに効果的な構造体にする必要がある。
【０００８】  上記のようにアルミニウムという金属の熱放射率は０．０５−０．１程度であり、その熱伝導率は高いもののその熱を有効に放出することができないという点が課題であり、それを解決する手段として、アルミニウムで形成された熱放射のための放熱フィンの表面にセラミックの薄膜を形成して熱放射を効果的に実施することができる。
【０００９】  具体的には、使用する放熱フィンの表面に塗装技術を利用することによってセラミック塗料を塗装・乾燥させることによってセラミック薄膜を形成する、あるいは真空蒸着法あるいはスパッタ法を用いて表面に薄膜を形成する。
【００１０】  このようにフィンの構成を従来のアルミニウムの持っている高い熱伝導の設能と、セラミックが有している高い熱放射の性能を効果的に組み合わせることによってその全体としての熱放散を効果的に実施することが可能になる。
【考案の効果】
【００１１】  セラミック塗料を用いてＬＥＤ照明器具の放熱フィンに塗装を施し、約１０ミクロン厚さのセラミック薄膜を形成し、塗装していない器具と塗装した器具とを同時に同一条件で点灯したところ、セラミック膜を形成したフィンの表面温度が形成していないフィンの表面温度よりも４．２−５．６度低下した。
【００１２】  この温度差については、セラミック膜自身が保有する熱放射能によって内部の熱が有効に放出された結果であると考えられ、その有効性が確認できる。
【実施例１】
【００１３】  大日技研工業製のランデックスという製品名のセラミック塗料をＬＥＤ照明器具で、４０Ｗ蛍光管との置き換えを狙った１２ＷＬＥＤ管の背面にあるアルミニウム製の放熱フィンにスプレー法を用いて平均幕厚１０ミクロンのセラミック膜を形成し、その放熱特性を測定したところ、未塗装のＬＥＤ管に比較して、その表面温度が４．２−５．６度低下することを確認した。
【図面の簡単な説明】
【００１４】
【図１】実施例で実施したＬＥＤ照明器具の断面図  １．光拡散板  ２．ＬＥＤ  ３．放熱フィン  ４．セラミック薄膜
【図１】
0003154837.tif 000003
(57)【要約】      （修正有）【課題】傘の所有者が容易に特定できる様に傘本体に貼り付けるシールをタグとして傘とセットにしたシールタグ付傘を提供する。【解決手段】傘１にアルファベット文字や数字、図形、図柄などで構成される未使用のシール２を添付する。このことで、傘の所有者が好みのシールを選び、傘の柄に貼り付けることで、傘置き場などで、複数ある傘の中から、所有者が自分の傘を即座に見つけられるように構成する。【選択図】図１
0003154833.tif 000002
【実用新案登録請求の範囲】
【請求項１】
個別に台紙からはがすことが出来るアルファベット文字で構成された未使用のシールをタグ状に添付した傘。
【請求項２】
個別に台紙からはがすことが出来るアルファベット文字で構成された未使用のシールをタグ状に添付したビニール傘。
【請求項３】
個別に台紙からはがすことが出来るアルファベット文字で構成された未使用のシールを添付した傘。
【請求項４】
個別に台紙からはがすことが出来るアルファベット文字で構成された未使用のシールを添付したビニール傘。
【請求項５】
個別に台紙からはがすことが出来るアルファベット文字、数字、ひらがな、かたかな、図形、動植物の図柄が用いられたシール単体、もしくはこれらの組み合わせで構成された未使用のシールをタグ状に添付した傘。
【請求項６】
個別に台紙からはがすことが出来るアルファベット文字、数字、ひらがな、かたかな、図形、動植物の図柄が用いられたシール単体、もしくはこれらの組み合わせで構成された未使用のシールをタグ状に添付したビニール傘。
【請求項７】
個別に台紙からはがすことが出来るアルファベット文字、数字、ひらがな、かたかな、図形、動植物の図柄が用いられたシール単体、もしくはこれらの組み合わせで構成された未使用のシールを添付した傘。
【請求項８】
個別に台紙からはがすことが出来るアルファベット文字、数字、ひらがな、かたかな、図形、動植物の図柄が用いられたシール単体、もしくはこれらの組み合わせで構成された未使用のシールを添付したビニール傘。
【考案の詳細な説明】
【技術分野】
【０００１】  本考案は傘に関するものである。
【背景技術】
【０００２】  傘は、形状が酷似している為、複数あると自分のものであるかどうか、認識が難しい。
【先行技術文献】
【特許文献】
【０００３】
【特許文献１】なし
【特許文献２】なし
【非特許文献】
【０００４】
【非特許文献１】なし
【非特許文献２】なし
【考案の概要】
【考案が解決しようとする課題】
【０００５】  これまでの傘は、どれも形状が酷似している為、複数あると自分の物であるかどうかという認識が困難であった。  また、いちいち名前を入れるのも、手間である。
【課題を解決するための手段】
【０００６】  傘に、アルファベットの文字や数字、図形、動植物の図柄などで構成されたシールのタグをつける。  また、シールは個別に台紙から剥がれ、使用者は傘を使用時に、使用者の好みのシールを傘の柄の部分に貼り付けられる仕様にする。
例として山田  太郎ＹＡＭＡＤＡ  ＴＡＲＯＵという使用者であれば、イニシャルの「Ｙ」と「Ｔ」を傘に貼り付ける。
【考案の効果】
【０００７】  傘に所有者本人のものと確認する為のシールを貼り付けることで、名前を書き入れる手間が掛からず、複数ある傘の中から、自分の物を即座に見つけ出すことができる。
紛失や盗難防止の効果が期待できる。
【図面の簡単な説明】
【０００８】
【図１】正面図。
【考案を実施するための形態】
【０００９】  ・傘（１）とシール（２）をセットにした形態。
【実施例】
【００１０】  図１の様に、傘（１）とシール（２）をセットにした仕様であり、使用者が、好みのシールを傘の柄に取り付ける。
本考案は、図１で表わされる傘の仕様であり、これらのシールには、文字、数字、図形、動植物の図柄など、傘置き場で、重複しない程度に多様な種類を設ける。
そのうちの一つあるいはそれらの組み合わせを傘の柄につけることで、所有者の認識を行うことの出来る傘である。
所有者は、複数並ぶ傘の中から、シールの模様、がらで本人のものと直ちに認識が出来る。
【産業上の利用可能性】
【００１１】  これまでの傘は、どれも形状が酷似している為、複数あると自分の物であるかどうかという認識が困難であった。  また、いちいち名前を入れるのも、手間であった。
文字、数字、図形、動植物の図柄などで構成された所有者識別の為の未使用のシールを傘に添付こと、そして、使用者がそれらのシールを使用者の好みで、傘に貼り付けることで、数多くある傘の中から所有者本人の傘を即座に見つける事が出来るようになる。  また、紛失や盗難といったトラブル防止の効果も期待できる。
これらの効果が、低コストで実現出来る。
【符号の説明】
【００１２】１  傘
２  シール
【図１】
0003154833.tif 000003
(57)【要約】      （修正有）【課題】背中の中央部に手が届き、なおかつ十分な力を加えてこすったり押したりすることができる器具を提供する。【解決手段】幅５ｃｍ、長さ２３ｃｍ、厚さ１ｃｍほどの板の前方に下向きの突起部を、後方に握り部を設ける。力が加わっても痛みが生じにくい親指と人差し指の間の股および手首を支点にしたところの、５本の指すべての曲げる力と押す力および手首を曲げる力による回転運動により、背中の中央部に十分な力を加えてこすったり押したりすることを可能にする。【選択図】図３
0003154835.tif 000002
【実用新案登録請求の範囲】
【請求項１】
幅５ｃｍ、長さ２３ｃｍ、厚さ１ｃｍほどの板に、前方に下向きの突起部を設け、後方に握り部を設けることによって、親指と人差し指の間の股および手首を支点とする回転運動を可能にし、手が届かずまた凹んでいるためにあかすりや指圧が困難な背中の中央部に対して、力を入れたあかすりや指圧を可能にする器具。
【考案の詳細な説明】
【技術分野】
【０００１】  本考案は、幅５ｃｍ、長さ２３ｃｍ、厚さ１ｃｍほどの板に、突起部と握り部を設けることによって、手が届かずまた凹んでいるなどの理由であかすりや指圧が困難な背中の中央部に対して、力を入れたあかすりや指圧を可能にする器具に関するものである。
【考案の開示】
【考案が解決しようとする課題】
【０００２】  肩甲骨の内側や下側、肩甲骨の上面、背骨の上面などの背中の中央部は、手が届きにくくまた凹んでいるなどの理由で、あかすりや指圧が困難である。従来のあかすり用のタオルやアーチ型の指圧器を用いても、十分な力を加えることができない。背中の中央部に手が届き、なおかつ十分な力を加えることができる器具が求められる。
【課題を解決するための手段】
【０００３】  幅５ｃｍ、長さ２３０ｃｍ、厚さ１ｃｍほどの板に、前方に下向きの突起部を設け、後方に握り部を設けることによって、力が加わっても痛みが生じにくい親指と人差し指の間の股および手首を支点とし、５本の指すべての曲げる力と押す力および手首を曲げる力による回転運動によって、背中の中央部に十分な力を加えることが可能になる。
【考案の効果】
【０００４】  ５本の指すべての曲げる力および押す力が、親指と人差し指の間の股を支点とした回転運動を起こす力となる（図３、Ａ）。また手首を曲げる力が、手首を支点とした回転運動を起こす力となる（図３、Ｂ）。これらの回転運動によって、通常は手の届かない背中の中央部に強い力を加えてこすったり押したりすることが可能になる。
【考案を実施するための最良の形態】
【０００５】  握り部は、親指と人差し指の間の股に対する負担が少なくなるように、適度な幅にするとともに、指や股との接触部分を滑らかな曲線にする。突起部は取り外し可能にし、半円形のもの、円錐形のもの、半円形にあかすりタオルの生地を取り付けたものの三つが使用できるようにする。
【図面の簡単な説明】
【０００６】
【図１】器具を横から見た図
【図２】器具を上から見た図
【図３】手で器具を使用している図
【図４】器具を横から見た図（突起部を円錐形のものに変えた図）
【符号の説明】
【０００７】１、  突起部（半円形）
２、  握り部
３、  突起部（円錐形）
【図１】
0003154835.tif 000003
【図２】
0003154835.tif 000004
【図３】
0003154835.tif 000005
【図４】
0003154835.tif 000006
(57)【要約】      （修正有）【課題】耳部にある複数の孔を利用して、それぞれの位置に固定したピアスで大きく長い飾り部分を固定する組合せ式ピアスを提供する。【解決手段】ピアスを固定部と飾り部二つの部分に分けて、固定部のピアスを先に耳たぶにある複数の穴に固定する、その後粘着剤で固定部２と大きく長い飾り部１を一体化する。複数の孔を利用して、大きく長い形状のピアスを耳部に固定出来る事により、今まで考えなかったデザインでもその大きい形状で保持出来る。【選択図】図２
0003154838.tif 000002
【実用新案登録請求の範囲】
【請求項１】
ピアスを二つの部分に分けて、粘着剤により、耳部の複数孔に固定したピアスを利用して大きく長い飾り部分を固定するピアス。
【考案の詳細な説明】
【技術分野】
【０００１】
0003154838.tif 000003
【背景技術】
【０００２】  大きい形状或は長い形状のピアスを一つの孔で固定する場合は、形状の重心によって、ピアスを下にぶら下げって、バランスを保持する事は出来なかった。
【先行技術文献】
【特許文献】
【特許文献１】
【特許文献２】
【非特許文献】
【非特許文献１】
【考案の概要】
【考案が解決しようとする課題】
【０００３】  ピアスの形状は大きく長くなると、重心によってバランスを保持する事は難しくなる。その為、今までのピアスは下部の飾り物を中心にデザインする事しか出来なかった。従って、粘着剤を使って、耳部にある複数の穴を利用して大きく長い形状のピアスを固定出来る様に前述の欠点を解決しようとする物である。
【課題を解決するための手段】
【０００４】  本考案は、ピアスを固定部と飾り部二つの部分に分けて、固定部のピアスを先に耳たぶにある複数の穴に固定する、その後粘着剤で固定部と飾り部を一体化にする。
【考案の効果】
【０００５】  上述の様に、複数の孔を利用して、大きく長い形状のピアスを耳部に固定出来る事により。今まで考えなかったデザインでもその大きい形状に展示出来る。
【図面の簡単な説明】
【０００６】
【図１】本考案の複数孔用組合式ピアスの一実施例を示した正面図である。
【図２】本ピアスの側面を示した側面図である。
【図３】本ピアスの上面を示した図面である
【図４】ピアス固定部の詳細図面である
【実施例】
【０００７】  以下、添付図面に従って一実施例を説明する。１は各種材料で造った飾り本体、２は１と同じ材料で造った固定用ピアス、２の頭部にある円盤の表面に３粘着剤を塗る。２を耳
0003154838.tif 000004
【産業上の利用可能性】
【０００８】  本考案は、従来のピアス取り付け方法を革命して、複数の孔を利用する事により。ピアスデザイン時、形状に対する要求はかなり少なくなる、優秀なデザイナーに新たな舞台を提供できる。
【符号の説明】
【０００９】  １  飾り部分
２  固定部分
３  粘着剤
【図１】
0003154838.tif 000005
【図２】
0003154838.tif 000006
【図３】
0003154838.tif 000007
【図４】
0003154838.tif 000008
(57)【要約】      （修正有）【課題】伸縮性色付きゴム材で傘や杖などの柄に取り付けることにより、滑り止め又他の傘との識別及び盗難防止を図ることができる傘、杖の滑り止め具を提供する。【解決手段】伸縮性を有するゴム材で、一端が環状に、他端がキャップ状になっていて、その一端と他端との間をらせん状に形成する。これにより、該らせん状体を傘や杖の柄の全体にまきつけて装着することによる滑り止め機能と、該らせん状体に様々な色を付けることで実現する識別機能とを一体化した傘や杖などの滑り止め具とする。【選択図】図２
0003154831.tif 000002
【実用新案登録請求の範囲】
【請求項１】
らせん状に形成した伸縮性ゴム材の一端を環状とするとともに、他端はキャップ形状としたことを特徴とする傘や杖などの柄の滑り止め具。
【考案の詳細な説明】
【技術分野】
【０００１】  本考案は、傘や杖に装着して滑り止め効果を得ること、及び色を付けることで他との識別が出来る傘や杖の滑り止め具に関するものである。
【背景技術】
【０００２】  デパート、銀行、病院、駅、電車・バスの中などで料金等の支払い時や待ち合いの時にカウンターや壁、背もたれなどに傘や杖などを立てかけたり引っ掛けたりする際に滑って落ちてしまう場合が多々ある。又、たくさんの傘が入っている傘立てなどでは、自分の傘がどれなのか識別することが困難な状況になる（特許文献１参照）。
【先行技術文献】
【特許文献】
【０００３】
【特許文献１】  実用新案登録第３１３３０９６号公報
【考案の概要】
【考案が解決しようとする課題】
【０００４】  本考案は、木やプラスチックなどの傘や杖の柄は、腕や鞄などに掛けたり、電車・バス、デパートやスーパー、銀行や病院などの支払いや待ち合い時にカウンターや壁、背もたれなどに引っ掛けたり立てかけたりした時に滑って落ちたりする為、時間的にも労働的にも負担になる。特に、障害をお持ちの方や老人の方には負担が大きい。また、透明ビニール傘に代表されるように、どの柄も似ている為、特にたくさん入っている傘立てなどでは自分の傘がどれだかわからなくなるという状況になってしまう。その上、どれも一緒で識別出来ないため、盗難に遭う機会も増えてしまう可能性もあるし、盗まれても自分のものかどうか識別も困難である。従って滑り止め機能と識別機能を一体化することにより、前述の問題を解決しようとするものである。
【問題を解決するための手段】
【０００５】  本考案は、伸縮性を有するゴム材で一端を環状に、他端をキャップ状にするとともに、その一端と他端との間をらせん状に形成したものである。また、様々な色をゴム材に付けることによって、識別機能と滑り止め機能を一体化した傘や杖などの滑り止め具を提供することが出来る。
【考案の効果】
【０００６】  本考案は、伸縮性の高いゴムで簡単に装着することができ、形状が違ってもその伸縮性により傘や杖の柄に装着することが出来る。柄の先端だけでなく、柄全体に巻きつけることによって引っ掛けたときだけでなく、立てかけた際にも滑り止めの効果を発揮する。また、ゴムに色を付けることによって他との識別になり自分のものがわかりやすく、盗難の抑制や防止にもなる。更にマジック等で名前も書けるため、子供の傘や老人の杖には特に盗難・紛失防止の効果が得られる。
【図面の簡単な説明】
【０００７】
【図１】本考案による滑り止め具の正面図である。
【図２】本考案による滑り止め具を少し伸ばした状態を示す正面図である。
【図３】本考案による滑り止め具を伸ばしきった状態の正面図である。
【図４】本考案による滑り止め具を傘の柄に取り付けた状態を示す図である。
【図５】本考案による滑り止め具を杖の柄に取り付けた状態を示す図である。
【考案を実施するための形態】
【０００８】  伸縮性のある合成ゴムによる滑り止め具が、傘や杖のほぼ全体に巻きつけられるので滑らない形になる。また、合成ゴムに色を付けて他との識別や盗難・紛失予防とする。
【実施例】
【０００９】  以下、添付図面に従って一実施例を説明する。
図１は本考案による傘や杖などの柄の滑り止め具を示し、図２及び図３はその構成を直感的に理解しやすくするため、少し伸ばした状態と伸ばしきった状態を示す。止め具１は伸縮性のあるゴム材であり、その一端１Ｇは環状となっており傘や杖の柄の中奥まではめ込み、１Ｂから１Ｆまでを柄に巻きつけ、キャップ状になっている他端１Ａをはめ込む。１Ａの部分ではカウンターなどに引っ掛けた時滑り止めに、１Ａから１Ｇまでは立てかけた時の滑り止めになる。図１に示す滑り止め具を、実際に傘の柄２に取り付けた状態を図４に示している。まず、滑り止め具１の一端１Ｇを柄２の奥にはめ込み、そして滑り止め具１のらせん状部１Ｂから１Ｆを巻きつける。ここで滑り止め具１のらせん状部１Ｂから１Ｆによって、断面が円形状あるいは多角形状のものでも、スムーズに誰でもが簡単に巻きつけることが出来る。最後にキャップ部１Ａを、傘の柄２の先端部に装着することで傘の柄２にしっかりと滑り止め具を装着出来る。同様に図５に示す図４とは形状の異なる杖の柄３についても適用出来る。
【符号の説明】
【００１０】１            滑り止め具
１Ａ          キャップ部
１Ｂ〜１Ｆ    らせん状部
１Ｇ          環状部
【図１】
0003154831.tif 000003
【図２】
0003154831.tif 000004
【図３】
0003154831.tif 000005
【図４】
0003154831.tif 000006
【図５】
0003154831.tif 000007
(57)【要約】      （修正有）【課題】電動モーターと交流発電機及び蓄電器を組み合わせて、維持経費が安く、かつ、環境問題を引き起こすことのない発電システムを提供する。【解決手段】１つの電動モーターでベルト等を介して１つ以上の交流発電機を並列にして駆動し、その発電量を蓄電器に蓄電する。また、電動モーターの起動は外部電源を使用し、電動モーターが定常回転に達し、かつ蓄電器に電動モーターを連続回転させるだけの電気量が蓄積されたところで、蓄電器に蓄電された電気量の一部を使用して、最初に起動した電動モーターを駆動する。さらに電動モーターを停止することなく連続的に駆動させることにより、複数の交流発電機で発電された電気量が、電動モーターを定常回転させるに必要な電気量を越えて、蓄電器に蓄電される。【選択図】図１
0003154839.tif 000002
【実用新案登録請求の範囲】
【請求項１】
電動モーターと交流発電機及び蓄電器を組み合わせた発電システムにおいて、１つの電動モーターでプーリー及びベルトを介して１つ以上の交流発電機を並列に連接して駆動し、その発電量を蓄電器に蓄電することを特徴とする発電システム
【請求項２】
請求項１の発電システムにおいて、最初に電動モーターの起動は外部電源を使用し、電動モーターが定常回転に達しかつ蓄電器に電動モーターを連続回転させるだけの電気量が蓄積されたところで、蓄電器に蓄電された電気量の一部を使用して、最初に起動した電動モーターを駆動することを特徴とする発電システム
【請求項３】
請求項１の発電システムにおいて、電動モーターを停止することなく連続的に駆動させることにより、複数の交流発電機で発電された電気量が、電動モーターを定常回転させるに必要な電気量を越えて、蓄電器に蓄電されることを特徴とする発電システム
【考案の詳細な説明】
【技術分野】
【０００１】  この考案は交流発電機駆動用動力装置と交流発電機及び蓄電器を組み合わせた発電システムに関するものである。
【背景技術】
【０００２】  従来この種の発電システムは、交流発電機駆動用動力装置として、水力、火力、原子力等を利用したタービン装置や風力を利用した風車等が使用されているが、設備や施設に多大な費用がかかり、維持経費もかかることから、自家発電や自社発電装置として活用することは不可能であった。特に火力発電に必要な石油は、環境問題や経済変動を引き起こし、大きな社会問題となっている。
また、国際公開番号ＷＯ２００７／０２６７５２において、モータとその回転により回転する発電機を１組とした電動発電機を２組以上直列接続する電動発電システムが開示されている。
【考案の開示】
【考案が解決しようとする課題】
【０００３】  こうした中で、自家発電や自社発電装置として活用することが可能な発電システムとして、設備や施設に多大な費用がかからず、維持経費の安く、かつ石油等環境問題を引き起こすことのない環境に優しい発電システムを考案する必要がある。
また、国際公開番号ＷＯ２００７／０２６７５２はシステムが複雑であり、さらに簡潔でコストの安いシステムを考案する必要がある。
【課題を解決するための手段】
【０００４】  本考案は、上記の課題を解決するために考案したもので、より簡潔により低コストを実現するため、▲１▼電動モーターと交流発電機及び蓄電器を組み合わせた発電システムにおいて、１つの電動モーターでプーリー及びベルトを介して１つ以上の交流発電機を並列に連接して駆動し、その発電量を蓄電器に蓄電すること、▲２▼最初に電動モーターの起動は外部電源を使用し、電動モーターが定常回転に達しかつ蓄電器に電動モーターを連続回転させるだけの電気量が蓄積されたところで、蓄電器に蓄電された電気量の一部を使用して、最初に起動した電動モーターを駆動すること、▲３▼電動モーターを停止することなく連続的に駆動させることにより、複数の交流発電機で発電された電気量が、電動モーターを定常回転させるに必要な電気量を越えて、蓄電器に蓄電されることを特徴とするものである。
【考案の効果】
【０００５】  本考案により、自家発電や自社発電装置として活用することが可能で、設備や施設に多大な費用がかからず、維持経費の安く、かつ石油等環境問題を引き起こすことのない環境に優しい発電システムを提供することができる。
【考案を実施するための最良の形態】
【０００６】  以下、本考案の発電システムにおける最良の形態について、図面を参照して説明する。
【実施例１】
【０００７】  図１は、本考案の発電システムの一例を示す系統図である。１は電動モーター、２及び２’は交流発電機、３は蓄電器、４は外部電源、５は切り替えスイッチである。
電動モーター１は複数の交流発電機を起動するために充分余裕のある馬力を有するものとする。【０００８】  図２は、本考案の実験装置で得られた試験結果である。電動モーターの回転が定常状態に入ると、それを駆動する所要電力が、２台の交流発電機で発生し蓄電された電力用よりも少なく、わずかながら電気量が備蓄されていく結果を示している。
【産業上の利用可能性】
【０００９】    本考案により、自家発電や自社発電装置として活用することが可能で、設備や施設に多大な費用がかからず、維持経費の安く、かつ石油等環境問題を引き犯すことのない環境に優しい発電システムを提供することができることから、本発電システムは、自家発電や自社発電への利用が高まり、環境問題への解決にもつながるため、顧客満足度や市場の要求が高まることが予想されるため、産業上の利用可能性が極めて高いものである。
【図面の簡単な説明】
【図１】  本考案の発電システムの一例を示す系統図である。
【図２】  本考案の実験装置で得られた試験結果である。
【符号の説明】１；電動モーター
２，２’；交流発電機
３；蓄電器
４；外部電源
５；切り替えスイッチ
【図１】
0003154839.tif 000003
【図２】
0003154839.tif 000004
(57)【要約】      （修正有）【課題】振動が大きいので設置数が少なくて済む為、広範囲に少ない数で防御する事ができる、簡単な構造のモグラおどしを提供する。【解決手段】回転軸棒を中心に回転するボビン型の回転体と、その軸回りに同軸との間にすき間を設けてフィンを備えたことを特徴とする。回転式ボビン型構造物は、回転時にフィンがボビンの底面部分とぶつかり合い音を発することでモグラおどしとして機能する。また、フィン部分が光を乱反射することで、周辺の野鳥へのおどしとしても役立つ。場所を取らず、風の向きが変化しても容易に回転し、コストが安く簡単に加工し易く耐久性に優れ、手が届く範囲で設置移動が簡単で、振動が大きく回転時に共振音を支柱軸に容易に伝え、夜、昼、風がある状態で回転し、モグラの活動範囲を狭め抑える。【選択図】図１
0003154871.tif 000002
【実用新案登録請求の範囲】
【請求項１】
回転軸棒を中心に、回転するボビン型の回転体と、その軸回りに、同軸との間に隙間を設けて、４５〜１２０度間隔で、羽根を設けたことを特徴とするモグラおどし。
【請求項２】
前記羽根は、その断面形状が、多少湾曲していることを、特徴とする請求項１記載のモグラおどし。
【請求項３】
前記羽根は、表面に細かいザラザラ状の光沢構成を有し、光の乱反射を備えることを、特徴とする請求項１又は、請求項２のモグラおどし。
【考案の詳細な説明】
【技術分野】
【０００１】
モグラおどしに関するものである。
【背景技術】
【０００２】
従来の羽根回転式は、耐久性に乏しく微振動であって影響が少ない為、数多く設置しないと効果がなかった。
【考案の概要】
【考案が解決しようとする課題】
【０００３】
ボビン型の回転体は、小さく回転体とフィンが一体化している為、強度高く回転能率が、増し力強く蛇行回転をし、振動が大きく支柱軸が斜めに傾いても外れにくく回転し、続ける為に、設置が少なく振動も大きく済む為少ない数で、範囲を広くする事ができる。簡単な構造のモグラおどしを提供することを目的とする。
【課題を解決するための手段】
【０００４】
回転軸棒を中心に、回転するボビン型の回転体と、その軸回りに、同軸との隙間を設けて、４５〜１２０度間隔で、羽根を設けたことを特徴とするモグラおどし。
【考案の効果】
【０００５】
従来は、構造が大きく場所を取りかさばる要因であったが、回転式ボビン型構造物は、フィンが小さく回転時にボビンの底面部分とぶつかり合い音を発し全体に光を、乱反射し周辺の野鳥を駆除する備えを施している。しかも場所を、取らず風の向きが変化しても容易に回転しコストが安く簡単に加工し易く耐久性に優れ、手が届く範囲で設置移動が簡単で振動が大きく回転時に共振音を、支柱軸に容易く伝え、夜、昼、風がある状態で、回転しモグラの活動範囲を狭め抑える。
田、畑、茶畑、芝生、土地の形態を問わず支柱軸を、垂直に挿しこみ回転体を載せ穀物の根や農作物の被害を最小限に食い止めミミズを保護し土壌を痩せさせず土地の地形状態を維持する。
【考案を実施するための最良の形態】
【０００６】
もぐらの通る場所近くに支柱軸を垂直に挿し０．５〜１メータ位の高さに回転体を載せる。
【実施例】
【０００７】
図１の１は、半円球状の空洞状ヘットの凹凸部分は、回転する回転体と支柱軸の頂点に接する箇所で、回転体の全体を支える部分で、常に中心軸に近い状態を保ち回転可能を維持する。回転体が回転する際に浮いても、スベリ落ちる。
２は、ボビン型の構造を、もつ回転体本体を示す部分で、ボビンはミシンの糸巻き又は、水車を縦状に例え円盤状と中に円柱状の柱の軸が入っているシャフトで、中は空洞３は、回転体にフィンを取り付け一体化した、フィンの断面形状を多少湾曲にし、風を多く取り入れ回転軸とフィンの間を少し間隔の、すき間を有し風の流れを、良くし、フィンから中のシャフトのすき間を通し前のフィンから風が抜け押し出す状態で二方向構造式である。
４は、支柱軸で、回転体の中心が空洞のシャフト部分によりその中に支柱軸が入りシャフト内径が大きく回転時に支柱軸と、ぶつかり合う、必ず支柱軸の頂点は、丸みを帯びていると回転がスムーズである。
【図面の簡単な説明】
【０００８】
【図１】もぐらおどしの平面図及び側面図
【図２】もぐらおどしの断面図
【符号の説明】
【０００９】
１ 半球状のヘット部分
２ ボビン型本体
３ フィン
４ 支柱軸
【図１】
0003154871.tif 000003
【図２】
0003154871.tif 000004
(57)【要約】      （修正有）【課題】鶏糞独特のアンモニア臭等の悪臭が少なく、肥料としての流動性が優れ、さらに家庭菜園等での少量使用時により散布しやすく、残量も一目でわかる簡便な炭化発酵鶏糞肥料入りペットボトルを提供する。【解決手段】発酵鶏糞を高温処理することにより炭化させた炭化発酵鶏糞肥料を透明なペットボトル容器に入れたことを特徴とする。【選択図】図２
0003154877.tif 000002
【実用新案登録請求の範囲】
【請求項１】
炭化させた発酵鶏糞肥料を入れたペットボトル。
【考案の詳細な説明】
【技術分野】
【０００１】
この考案は、高温処理することにより炭化させた発酵鶏糞肥料が入ったペットボトルに関するものである。
【背景技術】
【０００２】
従来、養鶏場にて大量に発生する鶏糞は発酵処理を施した後、そのままの状態（バラ）、大型バック（トランスバック等）または袋に入れて販売されている。発酵鶏糞肥料は、約一ヵ月の間、攪拌を繰り返すことによりりん酸、加里、窒素などの肥料成分、及び水分を調整することにより製造される。出来上がった発酵鶏糞肥料はバラ、大型バックまたは10〜15kg袋の何れかの形態で農家向けに販売される一方、袋製品は家庭向けにも販売されている。
【０００３】
しかしながら、これには次のような欠点があった。発酵鶏糞は生鶏糞に比較すると水分が少なく、また鶏糞独特の臭い、特にアンモニア臭が軽減されているものの、完全に取り除くことはできず、住宅地に隣接した農作地や、家庭菜園での使用時には問題になることがあった。また、家庭向けに使用する場合、10〜15kg袋では量が多過ぎることがしばしばで、特にベランダ菜園では臭いの問題と合わせると、使用しづらい製品となっている。
【０００４】
肥料入りペットボトルに関して、過去の特許文献を検索してみると、実用新案登録第３１１７４８１号公報(特許文献１)に記載の「水やり兼用施肥用容器」がヒットするが、この内容物は水あるいは液肥であって、遣り過ぎによる根腐りの障害や不足により乾燥障害、肥料過多となる滴下時間を調整することが目的のものである。また、特開２０００−２８７５６４号公報(特許文献２)、特開２００２−２５３０６９号公報(特許文献３)及び実用新案登録第３００００９２号公報(特許文献４)に記載のものも、すべて植木鉢等に給水するためのものである。
【先行技術文献】
【特許文献】
【０００５】
【特許文献１】実用新案登録第３１１７４８１号公報
【特許文献２】特開２０００−２８７５６４号公報
【特許文献３】特開２００２−２５３０６９号公報
【特許文献４】実用新案登録第３００００９２号公報
【考案の概要】
【考案が解決しようとする課題】
【０００６】
本考案の課題は、発酵鶏糞肥料としての有効成分は維持しつつ、鶏糞特有の不快な臭いを軽減するとともに、家庭菜園時に使用しやすい少量軽量タイプとし、さらに肥料の残量が見やすく外観的にも優れた容器を提供しようとするものである。
【課題を解決するための手段】
【０００７】
上記目的を達成するために、まず発酵鶏糞を高温処理することにより炭化させた。これにより、鶏糞独特のアンモニア臭などの悪臭はなくなり、また水分が非常に低くなるため肥料の流動性も改善され、散布も容易になる。
【０００８】
さらに、家庭菜園等、少量での使用をより容易にするために、炭化発酵鶏糞を透明なペットボトル容器に入れたものである。すなわち、本考案は、炭化させた発酵鶏糞肥料を入れたペットボトルに関するものである。
【考案の効果】
【０００９】
発酵鶏糞は、炭化処理されることによりりん酸、加里といった肥料成分は高まるため、炭化発酵鶏糞の肥料効果は向上する。
【００１０】
発酵鶏糞を高温処理により炭化させることにより、それがもつアンモニア臭などの独特の悪臭が消え、発酵鶏糞肥料使用時の不快感が軽減される。この効果は、住宅地近隣の農地や、家庭菜園で重要な意味を持つ。
【００１１】
発酵鶏糞を炭化することにより水分が少なくなるため、肥料の流動性が改善され、農地での散布が容易になる。
【図面の簡単な説明】
【００１２】
【図１】本考案による炭化発酵鶏糞肥料入りペットボトルの製造工程を示すフロー図である。
【図２】本考案の正面図である。
【００１３】
さらに、炭化発酵鶏糞を透明なペットボトル入り容器に入れることにより、手を汚さず、容易に散布することができ、残量もわかりやすく、またキャップで密閉することにより肥料の吸湿も防止できる。
【考案を実施するための形態】
【００１４】
考案の実施の形態について図面を参照して説明する。
図１は、本考案による炭化発酵鶏糞肥料入りペットボトルの製造工程を示すフロー図である。図２は本考案の正面図である。以下にその手順について説明する。
【００１５】
１  生の鶏糞を鶏舎から堆肥舎に移動する。
２  堆肥舎にて発酵促進剤とともに約一ヵ月間、攪拌しながら発酵処理を施す。
３  発酵処理した後、粒と細粒の２つの区分にふるい分けする。
４  粒及び細粒の一部についてはバラ、大型バック、または袋入りの発酵鶏糞製品として完成する。その他の細粒については、本考案のため次工程に進める。
５  細粒状の発酵鶏糞をさらに高温炉にて高温処理を施し、炭化させる。
６  放冷により自然冷却する。
７  異物を除去する。
８  透明なペットボトル容器に充填する。
９  炭化発酵鶏糞肥料入りペットボトルとして完成。
【符号の説明】
【００１６】
１  生鶏糞
２  発酵処理
３  製品のふるい分け
４  粒、細粒
５  発酵鶏糞肥料、高温処理
６  冷却
７  異物除去
８  ペットボトル充填
９  炭化発酵鶏糞肥料入りペットボトル
１０  密閉用キャップ
１１  透明ペットボトル容器
１２  炭化発酵鶏糞肥料
【図１】
0003154877.tif 000003
【図２】
0003154877.tif 000004
(57)【要約】      （修正有）【課題】孟宗竹のように肉厚の竹を割る時に用いる竹割道具を提供する。【解決手段】鋼鉄の刀身上部に打撃部を有し、下端が鋭角になる分割刃部を形成し、下方にむけて長尺の把手部を取り付けられている竹割道具をハンマーで上部打撃部を打撃し刀身を打ち込み、長尺の把手を右、又は左に振ると梃子によりたやすく割れる。【選択図】図２
0003154849.tif 000002
【実用新案登録請求の範囲】
【請求項１】
たて断面が、略くさび状の長方形の鋼材で形成した、刀身（１）の上部を打撃部（２）とし、尖った下端を刃部（３）とし、この刃身（１）の一方の側端に長尺の把手部（５）を下方に向け取り付けたことを特長とする竹割道具
【考案の詳細な説明】
【技術分野】
【０００１】孟宗竹のように肉厚の竹を割る時に用いる竹割道具である
【背景技術】
【０００２】孟宗竹のような肉厚の竹を割る時、鉈を用いるのが一般的である。
【先行技術文献】
【特許文献】
【０００３】実用新案登録第３１２１３９４
【考察の概要】
【考察が解決しようとする課題】
【０００４】孟宗竹のように肉厚の竹を割る時、鉈のように従来の竹割道具では大変苦労している。
本考案は、この問題を解決するためになされたものである。
【課題が解決しようとする手段】
【０００５】本考案の竹割道具は、縦断面が、略くさび状の長方形の鋼材で形成した、刀身（１）上部を打撃部（２）とし、尖った下端を刃部（３）とし、この刃身（１）の一方の側端に長尺の把手部（５）を下方に向け取り付けたことを特長とする竹割道具
【考察の効果】
【０００６】竹の断面に本考案の竹割道具を当て、打撃部（２）をハンマー等で打撃を与えて縦割りし、把手部（５）を右又は左へ振ると、梃子の原理が作用し簡単に竹を割ることができる。
【図面の簡単な説明】
【０００７】
【図１】本考案の一例を示す説明図
【図２】本考案の竹割道具で竹を割っている図である。
【図３】竹割道具にを右へ振って、竹が割れた図である。
【考案を実施するための形態】
【０００８】本考案の実施の一例を図１を用いて説明する。
縦断面が、略くさび状で長方形（たて６ｃｍ  よこ１２ｃｍ）の鋼材で刀身１を形成し、上部（幅８ｍｍ）の平たん部を打撃部２とし、下部下端部を刃部３とし、この刃身１の一方側端に把手部（長さ１００ｃｍ）の鉄管材（直径４ｃｍ）を取り付けた竹割道具
【実施例】
【０００９】次にこの実施例を用いて、実際に竹を割るところの状況を図２及び、図３を用いて説明する。
【産業上の利用可能生】
【００１０】孟宗竹のような肉厚の太い竹を割るのに便利な道具である。
【符号の説明】
【００１１】選択図        図１
たて断面が、略くさび状の長方形の鋼材で形成した、刀身（１）の上部を打撃部（２）とし、尖った下端を刃部（３）とし、この刃身（１）の一方の側端に  長尺の把手部（５）を下方に向け取り付けたことを特長とする竹割道具
１  ．刀身
２．  打撃部
３    刃部
４    割っている竹
５    把手部
【図１】
0003154849.tif 000003
【図２】
0003154849.tif 000004
【図３】
0003154849.tif 000005
(57)【要約】      （修正有）【課題】いつでもテープを携帯できるようにした携帯用テープ保持具を提供する。【解決手段】自分でよく使用しているガムテープなどを巾５１ミリの板に巻きつけ平面状の物体に変えることによりポケットなどにも入れることができる。ガムテープや養生テープなどを巻きつけて使用するもので、長さは基本的に自由であるがポケットに入れる事を目的にしているので、財布ぐらいの長さ約１００〜２００ミリ程度とする。また、素材は形をなすものなら自由に使用してよいものとする。また、板の両サイドに側板を付ける事によりポケットなどにスムーズに出し入れでき、しかもテープ側面の粘着物による汚れやゴミの付着を防ぐ効果が期待できる。５０ミリ巾のテープをいつでも身に付ける事ができ、いざという時いつでもすぐ使うことができる。【選択図】図１
0003154845.tif 000002
【実用新案登録請求の範囲】
【請求項１】
両サイドに側板の付いた５１ミリ巾の板に、テープを巻きつけることにより５０ミリ巾のテープを持ち歩きやすくするという、携帯用テープ保持具。
【考案の詳細な説明】
【技術分野】
【０００１】本考案は粘着テープ（５０ミリ巾）の物全般に関するものでありこの品にテープを巻きつける事によっていつでもテープを携帯できるようにしたものである。
【背景技術】
【０００２】従来ガムテープや養生テープ類は円筒形の物が利用されている。
【考案の開示】
【考案が解決しようとする課題】
【０００３】しかし従来のような巾５０ミリの円筒状の物ではなかなかいつも携帯しているのが困難であるという事を解決する事を課題とする。
【課題を解決するための手段】
【０００４】そこで、自分でよく使用しているガムテープなどを巾５１ミリの板に巻きつけ平面状の物体に変えることによりポケットなどにも入れることができる。【０００５】また、板の両サイドに側板を付ける事によりポケットなどにスムーズに出し入れでき、しかもテープ側面の粘着物による汚れやゴミの付着を防ぐ効果が期待できる。【０００６】本考案により５０ミリ巾のテープをいつでも身に付ける事ができいざという時いつでもすぐ使うことができる。
【考案を実施するための最良の形態】
【０００７】本考案に係る携帯用テープ保持具は、図１に示すように巾５１ミリの板の両サイドに側板をつけた物である。
ここに自分がよく使用しているガムテープや養生テープなどを巻きつけて使用するもので、長さは基本的に自由であるがポケットに入れる事を目的にしているので、財布ぐらいの長さ役１００〜２００ミリ程度とする。また、素材は形をなすものなら自由に使用してよいものとする
【図面の簡単な説明】
【０００８】
【図１】本考案の全体図である。
【図２】本考案の断面図である。
【符号の説明】
【０００９】１          ５１ミリ巾の板テープを巻きつける部分
２          側板の部分（大きさは、巻きつけるテープの長さにより変動。）
【図１】
0003154845.tif 000003
【図２】
0003154845.tif 000004
(57)【要約】      （修正有）【課題】収納性、着用性、安全性の向上を図ったクリップバイザーを提供する。【解決手段】クリップバイザー１の後ろに丸ゴム２を縫い付けてボタン３に２を引っ掛ける事によってクリップの広がりを抑える。さらに本来の形Ｃのような隙間のある型から丸ゴム２をボタン４に引っ掛ける事によりＯのような隙間のない型になり、鞄や服に提げることができる。クリップバイザイー１を着用したとき丸ゴム２をボタン３に引っ掛けることにより丸ゴム２の収縮により頭に密着にして、風が吹いた時に飛んでいきにくくする。丸ゴム２を鞄や服やベルトに通してからボタン４に引っ掛けることにより、クリップバイザーを手で持たずに物に提げて持ち運びをする事が可能となる。【選択図】図１
0003154844.tif 000002
【実用新案登録請求の範囲】
【請求項１】
クリップを内蔵したＣ字型の本体を有するクリップバイザーにおいて、上記本体の一端に丸ゴムを固定するとともに、他端部とその他端部から適宜の距離をおいた側面部にそれぞれ前記丸ゴムを係止めするための係止め具を設けたクリップバイザー。
【請求項２】
係止め具がボタンである、請求項１記載のクリップバイザー。
【考案の詳細な説明】
【技術分野】
【０００１】本考案は、折り返しで１３ｃｍの丸ゴム及びボタン２個を設けた、クリップバイザーに関するものである。
【背景技術】
【０００２】クリップバイザーは紫外線から顔を守る事を目的としており、庇が広く作られている為脱いだ時に上手く収納する事が難しいという欠点があった。
具体的には、室内等においてクリップバイザーを着用しない場合、手に持つか大きい鞄や袋に収納しなければならなかった。
また、風が吹くと、着用が乱れたり脱げて飛んでいったりする恐れがあった。
【考案の開示】
【考案が解決しようとする課題】
【０００３】解決しようとする課題は、
▲１▼クリップバイザーを脱いだ時の、収納性の向上
▲２▼風が吹いた時の、クリップバイザーの着用性と安全性の向上
である。
【課題を解決するための手段】
【０００４】課題を解決するための手段として、クリップバイザー本体に、丸ゴムと２個のボタンを取り付けることを考案した。
【考案の効果】
【０００５】考案の効果としては、
▲１▼着用しないときには、図１▲３▼のボタンに丸ゴムを引っ掛ける事により、鞄や服に通して提げることができるので、持ち運びおよび収納に便利である。置き忘れによる紛失も防止できると考えられる。
▲２▼着用の際は、丸ゴムを図１▲４▼のボタンに引っ掛ける事により、頭により密着するので、風が吹いた時に飛んでいきにくくなる。
また、着用性が向上することにより、風が吹いた時にクリップバイザーがずれたりしにくいので、人との接触も防止できると考えられる。
【考案を実施するための最良の形熊】
【０００６】このクリップバイザーは、片方のクリップの先端から丸ゴムを１３ｃｍ出し、逆の片方に先端から１ｃｍの所の中心にボタンを１個縫いつけ、さらに１０ｃｍの離れた場所にも１個ボタンを中心に縫い止めてある。
収納性を向上させるためには、１０ｃｍ目箇所のボタンに丸ゴムを引っ掛けることにより、鞄や服に提げて持ち運びに便利なクリップバイザーになる。
着用性を向上させるためには、１ｃｍ目箇所のボタンに丸ゴムを引っ掛ける事により、ずれたり飛んでいきにくくする。
【実施例】
【０００７】以下の添付図１に従って一実施例を説明する。
クリツプバイザー１の後ろに丸ゴム２を縫い付けてボタン３に２を引っ掛ける事によってクリップの広がりを抑えることができ、さらに１本来の形Ｃのような隙間のある型から丸ゴム２をボタン４に引っ掛ける事によりＯのような隙間のない型になり鞄、服に提げることができる。クリップバイザー１を着用したとき丸ゴム２をボタン３に引っ掛けることにより丸ゴム２の収縮により頭に密着にして、風が吹いた時に飛んでいきにくくする。
丸ゴム２を鞄や服やベルトに通してからボタン４に引っ掛けることにより、クリップバイザーを手で持たずに物に提げて持ち運びをする事が可能である。
【図面の簡単な説明】
【０００８】
【図１】本考案の丸ゴムクリップバイザーの一実施例を示す後方から見た図である。
【符号の説明】
【０００９】１  クリップバイザー
２  丸ゴム
３  ボタン
４  ボタン
５  庇
【図１】
0003154844.tif 000003